(57)【要約】      （修正有）【課題】シート状部材を所定の位置に簡易に保持することができる建物の出入口部開閉装置を提供する。  【解決手段】建物の出入口部開閉装置１は、チェーンホイール６の回転によりシート状部材３を昇降して建物の出入口部２を開閉する建物の出入口部開閉装置１であって、チェーンホイール６の回転は、チェーンホイール６に係合したチェーン７により行われるものであり、チェーン７は、複数のリング部材Ｒを有して連結すると共に、環状に形成して、垂下したものであり、垂下したチェーン７の一方を手動により引っ張ることによりチェーンホイール６を回転させてシート状部材３を上昇させ、建物の出入口部２を開放するものであり、建物の出入口部２の近傍に設けられ、チェーン７を通してチェーン７を案内する案内部材１０と、この案内部材１０にチェーン７を係止して、チェーン７の移動を阻止する溝部が形成されているものである。【選択図】図３
0003146165.tif 000002
【実用新案登録請求の範囲】
【請求項１】
チェーンホイールの回転によりシート状部材を昇降して建物の出入口部を開閉する建物の出入口部開閉装置であって、
前記チェーンホイールの回転は、前記チェーンホイールに係合したチェーンにより行われるものであり、
前記チェーンは、複数のリング部材を有して連結すると共に、環状に形成して、垂下したものであり、
垂下したチェーンの一方を手動により引っ張ることにより前記チェーンホイールを回転させて前記シート状部材を上昇させ、前記建物の出入口部を開放するものであり、
前記建物の出入口部の近傍に設けられ、前記チェーンを通して前記チェーンを案内する案内部材と、
この案内部材に前記チェーンを係止して、前記チェーンの移動を阻止する溝部が形成されている
ことを特徴とする建物の出入口部開閉装置。
【請求項２】
チェーンホイールの回転によりシート状部材を昇降して建物の出入口部を開閉する建物の出入口部開閉装置であって、
前記チェーンホイールの正逆回転により前記シート状部材を巻き取り、巻き戻しする回転体と、
前記チェーンホイールの回転は、前記チェーンホイールに係合したチェーンにより行われるものであり、
前記チェーンは、複数のリング部材を有して連結すると共に、環状に形成して、垂下したものであり、
垂下したチェーンの一方を手動により引っ張ることにより前記チェーンホイールを回転させて前記シート状部材を上昇させ、前記建物の出入口部を開放するものであり、
垂下したチェーンをフリーとすることにより前記シート状部材の自重によって前記チェーンホイールが回転して前記シート状部材が降下し、前記建物の出入口部を閉塞するものであり、
前記建物の出入口部の近傍に設けられ、前記チェーンを通して前記チェーンを案内する案内部材と、
この案内部材に前記チェーンを係止して、前記チェーンの移動を阻止する溝部が形成されている
ことを特徴とする建物の出入口部開閉装置。
【請求項３】
案内部材は、チェーンを案内するために、上部と下部が開放した略筒体形状であり、
溝部は、前記略筒体形状の側壁であって、前記チェーンの移動の方向に沿って設けられている
ことを特徴とする請求項１又は請求項２記載の建物の出入口部開閉装置。
【考案の詳細な説明】
【技術分野】
【０００１】
本考案は、建物の出入口部開閉装置に係り、特に、シート状部材を所定の位置に簡易に保持することができる建物の出入口部開閉装置に関する。
【背景技術】
【０００２】
チェーンホイールの回転によりシート状部材を昇降して建物の出入口部を開閉する建物の出入口部開閉装置がある（例えば、特許文献１参照）。
【０００３】
しかしながら、上述の建物の出入口部開閉装置にあっては、降下するシート状部材を中途で急停止させたい場合、手で保持しなければならず、作業性が良好でないという問題点が生じた。
【０００４】
【特許文献１】特開２００６−２８９４０号公報
【考案の開示】
【考案が解決しようとする課題】
【０００５】
本考案は、上記問題点を除去するようにした建物の出入口部開閉装置を提供することを目的としている。
【課題を解決するための手段】
【０００６】
前記した目的を達成するための本考案の建物の出入口部開閉装置は、チェーンホイールの回転によりシート状部材を昇降して建物の出入口部を開閉する建物の出入口部開閉装置であって、前記チェーンホイールの回転は、前記チェーンホイールに係合したチェーンにより行われるものであり、前記チェーンは、複数のリング部材を有して連結すると共に、環状に形成して、垂下したものであり、垂下したチェーンの一方を手動により引っ張ることにより前記チェーンホイールを回転させて前記シート状部材を上昇させ、前記建物の出入口部を開放するものであり、前記建物の出入口部の近傍に設けられ、前記チェーンを通して前記チェーンを案内する案内部材と、この案内部材に前記チェーンを係止して、前記チェーンの移動を阻止する溝部が形成されているものである。
【０００７】
また、請求項２記載の建物の出入口部開閉装置は、チェーンホイールの回転によりシート状部材を昇降して建物の出入口部を開閉する建物の出入口部開閉装置であって、前記チェーンホイールの正逆回転により前記シート状部材を巻き取り、巻き戻しする回転体と、前記チェーンホイールの回転は、前記チェーンホイールに係合したチェーンにより行われるものであり、前記チェーンは、複数のリング部材を有して連結すると共に、環状に形成して、垂下したものであり、垂下したチェーンの一方を手動により引っ張ることにより前記チェーンホイールを回転させて前記シート状部材を上昇させ、前記建物の出入口部を開放するものであり、垂下したチェーンをフリーとすることにより前記シート状部材の自重によって前記チェーンホイールが回転して前記シート状部材が降下し、前記建物の出入口部を閉塞するものであり、前記建物の出入口部の近傍に設けられ、前記チェーンを通して前記チェーンを案内する案内部材と、この案内部材に前記チェーンを係止して、前記チェーンの移動を阻止する溝部が形成されているものである。
【０００８】
また、請求項３記載の建物の出入口部開閉装置は、請求項１又は請求項２記載の建物の出入口部開閉装置において、案内部材は、チェーンを案内するために、上部と下部が開放した略筒体形状であり、溝部は、前記略筒体形状の側壁であって、前記チェーンの移動の方向に沿って設けられているものである。
【考案の効果】
【０００９】
請求項１記載の建物の出入口部開閉装置によれば、チェーンを通して前記チェーンを案内する案内部材が、建物の出入口部の近傍に設けられ、しかも、案内部材の溝部に前記チェーンを係止して、前記チェーンの移動を阻止する溝部が形成されているため、該溝部にチェーンを係止させて、チェーンの移動を阻止して、建物の出入口部の全開状態を保持するのみならず、所定位置にシート状部材を保持することができ、更に、降下するシート状部材を急停止させたい場合、チェーンを案内する案内部材の溝部にチェーンを係止させれば良いため、迅速に対応することができる。
【００１０】
また、請求項２記載の建物の出入口部開閉装置によれば、チェーンを通して前記チェーンを案内する案内部材が、建物の出入口部の近傍に設けられ、しかも、案内部材の溝部に前記チェーンを係止して、前記チェーンの移動を阻止する溝部が形成されているため、該溝部にチェーンを係止させて、チェーンの移動を阻止して、建物の出入口部の全開状態を保持するのみならず、所定位置にシート状部材を保持することができ、更に、降下するシート状部材を急停止させたい場合、チェーンを案内する案内部材の溝部にチェーンを係止させれば良いため、迅速に対応することができる。
【００１１】
また、請求項３記載の建物の出入口部開閉装置によれば、上述した請求項１又は請求項２記載の考案の効果に加え、案内部材は、チェーンを案内するために、上部と下部が開放した略筒体形状であり、溝部は、前記略筒体形状の側壁であって、前記チェーンの移動の方向に沿って設けられているため、簡易な手段により、チェーンの案内と係止を行うことができる。
【考案を実施するための最良の形態】
【００１２】
本考案の一実施例の建物の出入口部開閉装置を図面を参照して説明する。
図１において、１は茶工場、食品工場等の建物の出入口部開閉装置で、建物の出入口部開閉装置１は、建物の出入口部２を開閉するシート状部材３を備えている。シート状部材３は、例えば、通気性があって、巻き取り自在な柔軟性を有する帯状に形成され、建物の出入口部２を開閉するようになっている。
【００１３】
４は、シート状部材３の一方の端部を案内する一方側案内部材で、５は、シート状部材３の他方の端部を案内する他方側案内部材である。
また、６はチェーンホイールで、チェーンホイール６の回転は、チェーンホイールの係合部６ａに係合したチェーン７により行われる（図９〜図１２）。また、チェーンホイール６は、回転軸８を介して回転体９に接続されている。回転体９には、シート状部材３が取り付けられ、回転体９の正逆回転によりシート状部材３が巻き取り、巻き戻しされるようになっている。
チェーン７は、複数のリング部材Ｒを有して連結すると共に、環状に形成して、垂下したものとなっている。
そして、垂下したチェーン７の一方７１（図２参照）を手動により、例えば、図２の矢印方向に引っ張ることにより、チェーンホイール６を回転（例えば、反時計回り）させてシート状部材３を上昇させ、建物の出入口部２を開放することができる。
なお、垂下したチェーン７は、フリーとすることにより、シート状部材２の自重によって、チェーンホイール６が回転（例えば、時計回り）して、シート状部材２が降下し、建物の出入口部２を閉塞するようになっている。また、シート状部材３の下側縁部には、チェーン７がフリーの状態で自然落下しやすいように、鉄製のフラットバー３１が取り付けられている。
【００１４】
また、図４〜図８に示す１０は、建物の出入口部２の近傍に設けられ、チェーン７を通してチェーン７を案内する案内部材で、この案内部材１０には、チェーン７を係止して、チェーン７の移動を阻止する溝部１０ａが形成されている。
なお、案内部材１０は、チェーン７を案内するために、上部と下部が開放した略筒体形状であり、溝部１０ａは、上述の略筒体形状の側壁であって、チェーン７の移動の方向に沿って設けられている。案内部材１０は、部材１０ｂを介して一方側案内部材４に取り付けられている。
【００１５】
従って、上述した建物の出入口部開閉装置１によれば、チェーン７を通してチェーン７を案内する案内部材１０が、建物の出入口部２の近傍に設けられ、しかも、案内部材１０の溝部１０ａにチェーン７を係止して、チェーン７の移動を阻止する溝部１０ａが形成されているため、該溝部１０ａにチェーン７を係止（図７及び図８参照）させて、チェーン７の移動を阻止して、建物の出入口部２の全開状態を保持するのみならず、所定位置にシート状部材２を保持することができ、更に、降下するシート状部材２を急停止させたい場合、例えば、図６の状態でチェーン７を停止させたい場合、チェーン７を図６に示す方向に移動させれば、チェーン７は、案内部材１０の溝部１０ａに係止させさせて、迅速に対応することができる。
つまり、チェーン７の案内と係止を簡易な手段により行うことができる。
【図面の簡単な説明】
【００１６】
【図１】図１は、本考案の一実施例の建物の出入口部開閉装置の概略的斜視図である。
【図２】図２は、図１のチェーンによるシート状部材の動きを示す概略的斜視図である。
【図３】図３は、図２のシート状部材を上昇させ、該シート状部材を保持させた状態を示す概略的斜視図である。
【図４】図４は、図１の一部を拡大して示す概略的一部拡大斜視図である。
【図５】図５は、図４の概略的正面図である。
【図６】図６は、図５の６−６線による概略的断面図で、二点鎖線は、チェーンを示している。
【図７】図７は、図６のチェーンが案内部材の溝部に係止している状態の概略的断面図である。
【図８】図８は、図７の矢印方向から見た概略的図である。
【図９】図９は、図１の一部を拡大して示す概略的一部側面図である。
【図１０】図１０は、図９のＡ−Ａ線による概略的断面図である。
【図１１】図１１は、図９のＡ−Ｂ線による概略的断面図である。
【図１２】図１２は、図９のＣ−Ｃ線による概略的断面図である。
【符号の説明】
【００１７】
１     …建物の出入口部開閉装置
２     …建物の出入口部
３     …シート状部材
６     …チェーンホイール
７     …チェーン
１０   …案内部材
１０ａ …溝部
Ｒ     …リング部材
【図１】
0003146165.tif 000003
【図２】
0003146165.tif 000004
【図３】
0003146165.tif 000005
【図４】
0003146165.tif 000006
【図５】
0003146165.tif 000007
【図６】
0003146165.tif 000008
【図７】
0003146165.tif 000009
【図８】
0003146165.tif 000010
【図９】
0003146165.tif 000011
【図１０】
0003146165.tif 000012
【図１１】
0003146165.tif 000013
【図１２】
0003146165.tif 000014